(57)【要約】【課題】  収納効率が低下するのを抑制することが可能な折戸を提供する。【解決手段】  この折戸１０は、２枚の戸板１１および１２を上下一対の蝶番１３により折畳み可能に横幅方向に連結して構成されるとともに、キッチンＫとキッチンＫに連続するダイニングＤとの間に設置され、キッチンＫおよびダイニングＤを間仕切る間仕切り位置と、所定方向に折畳まれてキッチンＫおよびダイニングＤの間を開放する開放位置との間を移動可能なように構成されている。そして、折戸１０が開放位置にある状態で外部に露出する戸板１１の面に、収納体２０が取り付けられている。【選択図】  図１
2007032068.tif 000002
【特許請求の範囲】
【請求項１】
複数の戸板を連結部材により折畳み可能に横幅方向に連結して構成されるとともに、キッチンと前記キッチンに連続する居室との間に設置され、前記キッチンおよび前記居室を間仕切る間仕切り位置と、所定方向に折畳まれて前記キッチンおよび前記居室の間を開放する開放位置との間を移動可能な折戸であって、
前記開放位置にある状態で外部に露出する戸板面に、収納体を取り付けたことを特徴とする、折戸。
【請求項２】
前記間仕切り位置にある状態で、前記収納体が前記キッチン側を向くことを特徴とする、請求項１に記載の折戸。
【請求項３】
前記収納体を、実質的に直方体形状に形成し、
前記収納体の前記戸板の反対面に、第１開口部を形成したことを特徴とする、請求項１または２に記載の折戸。
【請求項４】
前記開放位置にある状態で前記居室側を向く前記収納体の面に、第２開口部を形成したことを特徴とする、請求項３に記載の折戸。
【発明の詳細な説明】
【技術分野】
【０００１】
本発明は、キッチンとキッチンに連続する居室との間に設置される折戸に関する。
【背景技術】
【０００２】
従来、キッチンとキッチンに連続する居室（ダイニングや洗面所）とにより構成される居室空間が知られている（たとえば、特許文献１参照）。この特許文献１に開示されたようなダイニングキッチン（居室空間）では、来客時にキッチンを目隠ししたり、調理に伴う煙や熱がキッチンから流出するのを遮断したりする目的で、キッチンとダイニングとの間に扉などの衝立を設けることがある。上記扉の一例として、近年急速に普及しているキッチンとダイニングとの間に壁面を有しないオープン型の対面キッチンにも容易に設置可能な折戸が知られている。この折戸は、一般に、複数枚の戸板を横幅方向に連結することにより形成されており、キッチンおよびダイニングを間仕切る間仕切り位置と、折畳まれてキッチンおよびダイニングの間を開放する開放位置との間を移動可能なように構成されている。
【特許文献１】特開平６−１４８１７号公報
【発明の開示】
【発明が解決しようとする課題】
【０００３】
しかしながら、上記した従来の折戸をキッチンとダイニングとの間に設置した場合には、折戸の開閉時の移動領域内に収納体を別途設置するのが困難なため、収納効率が低下するという問題点がある。
【０００４】
なお、上記扉の一例として引戸を設置する従来技術も提案されているが、この場合には、引戸のスライド方向に当該引戸の逃げ場を確保する必要があるため、引戸の設置場所が限定されるという不都合がある。特に、キッチンカウンター上方にダイニングへの開口が形成されたオープン型の対面キッチンにおいて、引戸をキッチンカウンター側にスライドするように設置した場合には、開放状態の引戸がキッチンカウンター上方の開口を覆うため、壁面側に引戸を設置せざるを得ないという不都合があり、好ましくない。
【０００５】
本発明は、上記のような課題を解決するためになされたものであり、収納効率が低下するのを抑制することが可能な折戸を提供することを目的とする。
【課題を解決するための手段】
【０００６】
上記目的を達成するために、この発明の請求項１に記載の折戸は、複数の戸板を連結部材により折畳み可能に横幅方向に連結して構成されるとともに、キッチンとキッチンに連続する居室との間に設置され、キッチンおよび居室を間仕切る間仕切り位置と、所定方向に折畳まれてキッチンおよび居室の間を開放する開放位置との間を移動可能な折戸であって、開放位置にある状態で外部に露出する戸板面に、収納体を取り付けたことを特徴とする。
【０００７】
多くの収納スペースを必要とするキッチンの収納効率が低下するのを抑制するために、間仕切り位置にある状態で、収納体がキッチン側を向く構成とすることが好ましい。
【０００８】
折戸が間仕切り位置にある状態で、キッチン側から収納体に対して被収納物を容易に出し入れするために、収納体を、実質的に直方体形状に形成し、収納体の戸板の反対面に、第１開口部を形成した構成とすることが好ましい。
【０００９】
折戸が開放位置にある状態で、居室側から収納体に対して被収容物を容易に出し入れするために、開放位置にある状態で居室側を向く収納体の面に、第２開口部を形成した構成とすることが好ましい。
【発明の効果】
【００１０】
この発明に記載の折戸では、上記のように、折戸を構成する戸板に収納体を取り付けたので、折戸自体が収納力を有することとなる。これにより、キッチンと居室との間に折戸を設置した場合には、折戸の開閉時の移動領域内に収納体を別途配設するのが困難なことに起因する上記従来の問題点としての収納効率の低下を、折戸の収納力により補うことができるので、収納効率の低下を抑制することができる。また、折戸が開放位置にある状態で外部に露出する戸板面に収納体を取り付けたので、収納体が折戸の開閉動作に干渉することがない。これにより、折戸を所定方向に十分に折畳むことができるので、折畳み時にキッチンと居室との間に形成される通路の幅を広く確保することができる。
【発明を実施するための最良の形態】
【００１１】
以下、本発明の実施形態を図面に基づいて説明する。
【００１２】
図１〜図３は、本発明の一実施形態による折戸が設置された非対面型のダイニングキッチンを示した図であり、図４および図５は、本発明の一実施形態による折戸を示した図である。まず、図１を参照して、本発明の一実施形態による折戸１０を備えた非対面型のダイニングキッチン１００の全体構成について説明する。なお、非対面型のダイニングキッチンとは、キッチンカウンターに向かうユーザの背面側にダイニングが配置される、いわゆる非対面キッチンを含むダイニングキッチンをいう。
【００１３】
本実施形態のダイニングキッチン１００は、図１に示すように、調理を行うためのキッチンＫと食事を行うためのダイニングＤとを含んでおり、キッチンＫ空間およびダイニングＤ空間は、連続するように構成されている。詳しくは、ダイニングキッチン１００の前後方向（図中の上下方向）の中央近傍には、平面視横長長方形状の食器棚１がその右端をダイニングキッチン１００の右側壁面に密着させた状態で、かつ、その左端をダイニングキッチン１００の左側壁面と所定間隔を隔てて離間させた状態で配置されており、その食器棚１によりダイニングキッチン１００が前後方向に分割されている。なお、本実施形態の前後左右方向は、ユーザがキッチンＫの調理カウンター４に向かって立った状態を基準とする。
【００１４】
そして、食器棚１とダイニングキッチン１００の前側壁面との間の空間をキッチンＫとして規定し、食器棚１とダイニングキッチン１００の後側壁面との間の空間をダイニングＤとして規定している。また、食器棚１とダイニングキッチン１００の左側壁面との間には、通路１０１が形成されている。この通路１０１は、たとえば人やカートが余裕を持って通過可能な程度の横幅を有するように構成されており、キッチンＫとダイニングＤとを連結する。これにより、たとえば、キッチンＫで調理された料理を、通路１０１を経てダイニングＤに運搬することが可能となる。なお、食器棚１は、キッチンＫおよびダイニングＤの両側から内部に収容された食器類を取り出せるように構成されている。
【００１５】
また、キッチンＫには、ダイニングキッチン１００の前側壁面に沿って、上記食器棚１に対向するようにシンク２およびコンロ３を具備する調理カウンター４と冷蔵庫５とが設置されている。また、ダイニングＤには、その中央付近にテーブル６が配置されており、テーブル６を取り囲むように複数の椅子７が配置されている。
【００１６】
また、本実施形態のダイニングキッチン１００では、通路１０１のダイニングＤに接続する位置に折戸１０が設置されている。この折戸１０は、来客時にキッチンＫをダイニングＤ側から目隠ししたり、調理に伴う煙や熱がキッチンＫから流出するのを抑制したりする機能を有しており、２枚の戸板１１および１２を上下一対の蝶番１３（図５参照）により折畳み可能に横幅方向に連結することにより構成されている。これらの戸板１１および１２は、それぞれ、ダイニングキッチン１００の内部高さ（床面と天井面との間の距離）とほぼ一致する高さを有しており、戸板１１および１２の各横幅の合計は、通路１０１の横幅とほぼ一致している。
【００１７】
また、折戸１０は、２枚の戸板１１および１２が通路１０１の横幅方向に沿って直線状に配列されることにより通路１０１を閉鎖してキッチンＫおよびダイニングＤを間仕切る間仕切り位置（図１参照）と、中折れ状態に折畳まれることにより通路１０１を開放してキッチンＫおよびダイニングＤを連結する開放位置（図３参照）との間を移動可能なように構成されている。
【００１８】
詳細には、通路１０１のダイニングＤに接続する位置の天井面および床面には、通路１０１の横幅方向に延びるレール部材１４ａおよび１４ｂが各々設置されており、当該折戸１０は、上記一対のレール部材１４ａおよび１４ｂにより通路１０１の横幅方向にガイドされながら移動するように構成されている。なお、床側のレール部材１４ｂは、図５に示すように、その上部が床面とほぼ面一になるように、床に埋め込まれて設置されている。
【００１９】
また、戸板１２の右端上部および右端下部には、ピン１６ａおよび１６ｂが突設されており、当該ピン１６ａおよび１６ｂは、各レール部材１４ａおよび１４ｂの右端位置に回動可能に取り付けられている。また、戸板１１の左端上部および左端下部には、レール部材１４ａおよび１４ｂに沿って移動可能なように当該レール部材１４ａおよび１４ｂに各々係合する係合部材１５ａおよび１５ｂが取り付けられている。これにより、折戸１０は、その連結部がレール部材１４ａ（１４ｂ）から離間しながら、戸板１１の左端が戸板１２の右端に向かって移動することにより、２つに折畳まれて通路１０１を開放するようになっている。また、折戸１０は、その連結部がレール部材１４ａ（１４ｂ）に近づきながら、戸板１１の左端が戸板１２の右端から離間することにより、直線状に開かれて通路１０１を閉鎖するようになっている。
【００２０】
また、戸板１１および１２を連結する一対の蝶番１３は、図１に示すように、折戸１０の連結部のダイニングＤ側に取り付けられている。これにより、折戸１０の連結部は、図２および図３に示すように、折畳み動作に伴ってキッチンＫ側に移動するようになっており、間仕切り時における戸板１１のキッチンＫ側の面は、折畳み時には通路１０１を介してダイニングキッチン１００の左側壁面に向かって露出した状態となる。
【００２１】
また、戸板１１の両面には、折戸１０を開閉する際に把持される把持部（図示せず）が所定箇所に各々設けられている。
【００２２】
ここで、本実施形態では、図４および図５に示すように、間仕切り状態での戸板１１のキッチンＫ側の面には、調味料の瓶などを収納するための直方体形状の収納体２０が取り付けられている。この収納体２０は、上記戸板１１面にネジ止めなどにより強固に固定された背板２１と、背板２１の上部に配置された天板２２と、背板２１の下部に配置された底板２３（図５参照）と、背板２１の戸板１１面に向かって左側に配置された側板２４と、天板２２および底板２３の戸板１１面に向かって手前右側の隅部同士を連結する支柱２５とにより構成されている。
【００２３】
また、収納体２０は、戸板１１面に向かって手前側および右側に、それぞれ、第１開口部２０ａおよび第２開口部２０ｂを有している。この第１開口部２０ａには、一対の扉部材２６が取り付けられており、第２開口部２０ｂには、扉部材２７が取り付けられている。これらの扉部材２６および２７は、収納体２０内部を目隠しするとともに、収納体２０に異物が侵入するのを防止するために設けられている。なお、収納体２０の戸板１１への取付強度を増大するために、底板２３の下面と戸板１１面とを斜めに連結するような補強部材（心張り部材）を設けてもよい。
【００２４】
また、収納体２０は、図５に示すように、戸板１１の中間よりもやや上方に取り付けられている。上記高さ位置に収納体２０を設置することにより、ユーザが収納体２０に対して被収納物の出し入れを容易に行うことが可能である。
【００２５】
上記構成により、収納体２０は、折戸１０の開閉動作に伴って回転しながら移動するようになっている。すなわち、図１に示すように、折戸１０が間仕切り位置にある状態では、収納体２０がキッチンＫに向かって露出するので、当該収納体２０にキッチンＫ側からアクセス可能となる。これにより、折戸１０を間仕切り位置に配置すれば、調理に伴う煙や熱を折戸１０により十分に遮断することが可能であるとともに、調理カウンター４の方向を向いている第１開口部２０ａを介して収納体２０に対する被収納物の出し入れを容易に行うことが可能である。特に、キッチンＫでの調理中は、キッチンＫにおいて収納体２０内の被収容物（調味料の瓶等）を使用する可能性が高くなるので、上記折戸１０の間仕切り位置への配置はより好適となる。
【００２６】
また、図３に示すように、折戸１０が開放位置にある状態では、収納体２０が通路１０１を介してダイニングキッチン１００の左側壁面に向かって露出するので、当該収納体２０にキッチンＫとダイニングＤとの両側からアクセス可能となる。これにより、折戸１０を開放位置に配置すれば、ダイニングＤの方向を向いている第２開口部２０ｂを介して収納体２０に対する被収容物の出し入れを容易に行うことが可能である。特に、調理後のダイニングＤでの食事中は、調理に伴う煙や熱を遮断する必要がなく、また、ダイニングＤにおいて収納体２０内の被収容物（調味料の瓶等）を使用する可能性が高くなるので、上記折戸１０の開放位置への配置は好適となる。
【００２７】
本実施形態では、上記のように、折戸１０を構成する戸板１１に収納体２０を取り付けることによって、折戸１０自体が収納力を有するようになるため、キッチンＫとダイニングＤとの間に折戸１０を設置した場合には、折戸１０の開閉時の移動領域内に収納体を別途配設するのが困難なことに起因する収納効率の低下を、折戸１０の収納力により補うことができる。これにより、収納効率の低下を抑制することができる。また、折戸１０が開放位置にある状態でダイニングキッチン１００の左側壁面に向かって露出する戸板１１の面に収納体２０を取り付けたので、収納体２０が折戸１０の開閉動作に干渉することがない。これにより、折戸１０を右方向（食器棚１の方向）に十分に折畳むことができるので、折畳み時のキッチンＫとダイニングＤとの間の通路１０１の幅を広く確保することができる。
【００２８】
また、本実施形態では、上記のように、間仕切り状態での戸板１１のキッチンＫ側の面に収納体２０を設けたので、多くの収納スペースを必要とするキッチンＫの収納効率が低下するのを抑制することができる。
【００２９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３０】
たとえば、上記実施形態では、本発明の折戸１０を、図１に示した非対面型のダイニングキッチン１００に適用する例について示したが、これに限らず、図６に示すような対面型のダイニングキッチン１１０にも適用可能である。なお、対面型のダイニングキッチンとは、キッチンカウンターに向かうユーザの正面側にダイニングが配置される、いわゆるオープン型の対面キッチンを含むダイニングキッチンをいう。
【００３１】
また、上記実施形態では、キッチンＫに連続する居室がダイニングＤである例について示したが、本発明はこれに限らず、キッチンＫに連続する居室が例えば洗面所であってもよい。この場合、収納体２０に収納される被収容物としては、キッチンおよび洗面所の両方で使用される物品であることが好ましい。
【００３２】
また、上記実施形態では、折戸１０を食器棚１の方向に移動させて通路１０１を開放する例について示したが、本発明はこれに限らず、折戸１０をダイニングキッチン１００の左側壁面の方向に移動させて通路１０１を開放するようにしてもよい。また、折戸１０を通路１０１のダイニングＤに接続する位置に設けたが、これに限らず、折戸１０を通路１０１のいずれの位置に設けてもよい。なお、折戸１０を通路１０１のキッチンＫに接続する位置に設けた場合には、折戸１０の開閉時の移動領域がキッチンＫ空間と大きく重複し、キッチンＫでの作業の妨げとなる可能性があるので好ましくない。
【００３３】
また、上記実施形態では、収納体２０を戸板１１の中間よりもやや上方に設置したが、本発明はこれに限らず、収納体２０を、上記の設置位置よりも下方に設置してもよい。この場合には、収納体を、その上部が開口するように構成するとともに、異物の侵入を防止するために収納体の上部開口に蓋などを取り付けるのが好ましい。また、収納体の下面が床面と接する可能性がある場合には、収納体２０の下部にキャスターを取り付けてもよい。
【００３４】
また、上記実施形態では、折戸１０を、２枚の戸板１１および１２により構成する例について示したが、本発明はこれに限らず、折戸１０を２枚より多い枚数の戸板により構成してもよい。
【００３５】
また、上記実施形態では、折戸１０が開放位置にある状態でキッチンＫ側を向く戸板１１の面に収納体２０を設けたが、本発明はこれに限らず、折戸１０が開放位置にある状態でダイニングＤ側を向く戸板１１の面に収納体２０を設けてもよい。この場合には、ダイニングＤの収納効率が低下するのを抑制するという効果を奏する。
【００３６】
また、上記実施形態の収納体２０の側板２４に代えて、天板２２および底板２３の戸板１１面に向かって手前左側に位置する隅部同士を連結する支柱を設けることによって、収納体２０の戸板１１面に向かって左側に第３の開口部を形成してもよい。このように構成すれば、折戸１０が開放位置にある時に、第３の開口部がキッチンＫ側を向くので、第３の開口部を介して収納体２０に対する被収容物の出し入れをより容易に行うことが可能となる。
【図面の簡単な説明】
【００３７】
【図１】本発明の一実施形態による折戸が設置された非対面型のダイニングキッチンの全体構成を示した平面図である。
【図２】図１に示したダイニングキッチンにおいて折戸が間仕切り位置および開放位置の間にあるときの状態を示した平面図である。
【図３】図１に示したダイニングキッチンにおいて折戸が開放位置にあるときの状態を示した平面図である。
【図４】図３に示した開放位置にあるときの折戸の平面図である。
【図５】図３に示した開放位置にあるときの折戸の正面図である。
【図６】本発明の一実施形態による折戸が設置された対面型のダイニングキッチンの全体構成を示した平面図である。
【符号の説明】
【００３８】
１０  折戸
１１、１２  戸板
１３  蝶番（連結部材）
２０  収納体
２０ａ  第１開口部
２０ｂ  第２開口部
Ｄ  ダイニング（居室）
Ｋ  キッチン
【図１】
2007032068.tif 000003
【図２】
2007032068.tif 000004
【図３】
2007032068.tif 000005
【図４】
2007032068.tif 000006
【図５】
2007032068.tif 000007
【図６】
2007032068.tif 000008